(57)【要約】【課題】カバー部が電子機器本体から外されていることを判断することが可能な電子機器を提供する。【解決手段】電子機器１は、電子機器本体と、カバー部と、発光部３１と、受光部３２と、光フィルタ部４１と、制御部３５と、を備える。カバー部は、電子機器本体に装着される。発光部３１及び受光部３２は、電子機器本体に配置される。光フィルタ部４１は、カバー部における発光部３１及び受光部３２に対向する位置に配置され、所定の波長の光を透過する。制御部３５は、発光部３１から放射され光フィルタ部４１を透過する光を介して他の電子機器と通信するように制御する。光フィルタ部４１は、発光部３１から放射された光の一部を受光部３２に向けて反射することが可能である。制御部３５は、発光部３１から光を放射させた場合に、受光部３２によって受光した光の強度が所定値未満であると、電子機器本体にカバー部が装着されていないと判断する。【選択図】図４
2014093537.tif 000002
【特許請求の範囲】
【請求項１】
電子機器本体と、
前記電子機器本体の少なくとも一部を覆うように前記電子機器本体に装着されるカバー部と、
前記電子機器本体に配置され、光を放射する発光部と、
前記電子機器本体に配置され、光を受光する受光部と、
前記カバー部における前記発光部及び前記受光部に対向する位置に配置され、所定の波長の光を透過することが可能な光フィルタ部と、
前記発光部から放射され前記光フィルタ部を透過する光を介して他の電子機器と通信するように制御する制御部と、を備え、
前記光フィルタ部は、前記発光部から放射された光の一部を前記受光部に向けて反射することが可能であり、
前記制御部は、前記発光部から光を放射させた場合に、前記受光部によって受光した光の強度が所定値未満であると、前記電子機器本体に前記カバー部が装着されていないと判断する
電子機器。
【請求項２】
電子機器本体と、
前記電子機器本体の少なくとも一部を覆うように前記電子機器本体に装着されるカバー部と、
前記電子機器本体に配置され、光を放射する発光部と、
前記電子機器本体に配置され、光を受光する受光部と、
前記カバー部における前記発光部及び前記受光部に対向する位置に配置され、所定の波長の光を透過することが可能な光フィルタ部と、
前記発光部から放射され前記光フィルタ部を透過する光を介して他の電子機器と通信するように制御する制御部と、を備え、
前記光フィルタ部は、前記発光部から放射された光の一部を前記受光部に向けて反射することが可能であり、
前記制御部は、前記発光部から、電子機器本体にカバー部が装着されていると判断するために用いられる所定の発光パターンで光を放射させた場合に、前記受光部によって受光した光が前記所定の発光パターンに対応していないと、前記電子機器本体に前記カバー部が装着されていないと判断する前記電子機器本体に前記カバー部が装着されていないと判断する
電子機器。
【請求項３】
前記カバー部は、無線通信用のアンテナ部を備え、
前記電子機器本体は、前記カバー部が前記電子機器本体に装着される場合に前記アンテナ部と接続する通信部を備える
請求項１又は２に記載の電子機器。
【請求項４】
前記制御部は、前記電子機器本体に前記カバー部が装着されていないと判断した場合に、前記通信部の動作を停止させる
請求項３に記載の電子機器。
【請求項５】
前記発光部は、赤外線の光を放射し、
前記受光部は、赤外線の光を受光する
請求項１から４のいずれか１項に記載の電子機器。
【請求項６】
前記制御部は、前記通信部を利用するアプリケーションが起動されると、前記発光部から光を放射し、前記受光部によって受光した光の強度が所定値未満であると、前記電子機器本体に前記カバー部が装着されていないと判断する
請求項３に記載の電子機器。
【請求項７】
前記制御部は、前記電子機器の電源をＯＮすると、前記発光部から光を放射し、前記受光部によって受光した光の強度が所定値未満であると、前記電子機器本体に前記カバー部が装着されていないと判断する
請求項３に記載の電子機器。
【請求項８】
前記通信部は、基地局と通信可能であり、
前記制御部は、基地局との通信において圏外状態になると、前記発光部から光を放射し、前記受光部によって受光した光の強度が所定値未満であると、前記電子機器本体に前記カバー部が装着されていないと判断する
請求項３に記載の電子機器。
【請求項９】
前記制御部は、前記通信部を利用するアプリケーションが起動されると、前記発光部から、電子機器本体にカバー部が装着されていると判断するために用いられる所定の発光パターンで光を放射し、前記受光部によって受光した光が前記所定の発光パターンに対応していないと、前記電子機器本体に前記カバー部が装着されていないと判断する
請求項３に記載の電子機器。
【請求項１０】
前記制御部は、前記電子機器の電源をＯＮすると、前記発光部から、電子機器本体にカバー部が装着されていると判断するために用いられる所定の発光パターンで光を放射し、前記受光部によって受光した光が前記所定の発光パターンに対応していないと、前記電子機器本体に前記カバー部が装着されていないと判断する
請求項３に記載の電子機器。
【請求項１１】
前記通信部は、基地局と通信可能であり、
前記制御部は、基地局との通信において圏外状態になると、前記発光部から、電子機器本体にカバー部が装着されていると判断するために用いられる所定の発光パターンで光を放射し、前記受光部によって受光した光が前記所定の発光パターンに対応していないと、前記電子機器本体に前記カバー部が装着されていないと判断する
請求項３に記載の電子機器。
【発明の詳細な説明】
【技術分野】
【０００１】
本発明は、電子機器本体にカバーが装着される電子機器に関する。
【背景技術】
【０００２】
携帯電話機等の電子機器には、赤外線通信部と、その赤外線通信部に対向する位置のカバー部に赤外線を通過させる窓部とを備えるタイプがある（特許文献１参照）。
【先行技術文献】
【特許文献】
【０００３】
【特許文献１】特開２０１１−１０９１６４号公報
【発明の概要】
【発明が解決しようとする課題】
【０００４】
特許文献１に記載された電子機器の赤外線通信部は、他の電子機器と通信を行うことを目的する。すなわち、その赤外線通信部は、他の電子機器との通信を行うことのみに利用される。
ところで、近年の電子機器には、通信用のアンテナがカバー部（筐体）に配されるタイプがある。そのカバー部が電子機器本体から外された場合には、電子機器は、通信を行うことができない。このため、電子機器は、カバー部が電子機器本体から外された場合、そのカバー部が外されていることを知る必要がある。
【０００５】
本発明は、カバー部が電子機器本体から外されていることを判断することが可能な電子機器を提供することを目的とする。
【課題を解決するための手段】
【０００６】
電子機器は、電子機器本体と、カバー部と、発光部と、受光部と、光フィルタ部と、制御部と、を備える。前記カバー部は、前記電子機器本体の少なくとも一部を覆うように前記電子機器本体に装着される。前記発光部は、前記電子機器本体に配置され、光を放射する。前記受光部は、前記電子機器本体に配置され、光を受光する。前記光フィルタ部は、前記カバー部における前記発光部及び前記受光部に対向する位置に配置され、所定の波長の光を透過することが可能である。前記制御部は、前記発光部から放射され前記光フィルタ部を透過する光を介して他の電子機器と通信するように制御する。前記光フィルタ部は、前記発光部から放射された光の一部を前記受光部に向けて反射することが可能である。前記制御部は、前記発光部から光を放射させた場合に、前記受光部によって受光した光の強度が所定値未満であると、前記電子機器本体に前記カバー部が装着されていないと判断する。
【０００７】
電子機器は、電子機器本体と、カバー部と、発光部と、受光部と、光フィルタ部と、制御部と、を備える。前記カバー部は、前記電子機器本体の少なくとも一部を覆うように前記電子機器本体に装着される。前記発光部は、前記電子機器本体に配置され、光を放射する。前記受光部は、前記電子機器本体に配置され、光を受光する。前記光フィルタ部は、前記カバー部における前記発光部及び前記受光部に対向する位置に配置され、所定の波長の光を透過することが可能である。前記制御部は、前記発光部から放射され前記光フィルタ部を透過する光を介して他の電子機器と通信するように制御する。前記光フィルタ部は、前記発光部から放射された光の一部を前記受光部に向けて反射することが可能である。前記制御部は、前記発光部から、電子機器本体にカバー部が装着されていると判断するために用いられる所定の発光パターンで光を放射させた場合に、前記受光部によって受光した光が前記所定の発光パターンに対応していないと、前記電子機器本体に前記カバー部が装着されていないと判断する前記電子機器本体に前記カバー部が装着されていないと判断する。
【０００８】
前記カバー部は、無線通信用のアンテナ部を備えることが好ましい。前記電子機器本体は、前記カバー部が前記電子機器本体に装着される場合に前記アンテナ部と接続する通信部を備えることが好ましい。
【０００９】
前記制御部は、前記電子機器本体に前記カバー部が装着されていないと判断した場合に、前記通信部の動作を停止させることが好ましい。
【００１０】
前記発光部は、赤外線の光を放射することが好ましい。前記受光部は、赤外線の光を受光することが好ましい。
【００１１】
前記制御部は、前記通信部を利用するアプリケーションが起動されると、前記発光部から光を放射し、前記受光部によって受光した光の強度が所定値未満であると、前記電子機器本体に前記カバー部が装着されていないと判断することが好ましい。
【００１２】
前記制御部は、前記電子機器の電源をＯＮすると、前記発光部から光を放射し、前記受光部によって受光した光の強度が所定値未満であると、前記電子機器本体に前記カバー部が装着されていないと判断することが好ましい。
【００１３】
前記通信部は、基地局と通信可能であることが好ましい。前記制御部は、基地局との通信において圏外状態になると、前記発光部から光を放射し、前記受光部によって受光した光の強度が所定値未満であると、前記電子機器本体に前記カバー部が装着されていないと判断することが好ましい。
【００１４】
前記制御部は、前記通信部を利用するアプリケーションが起動されると、前記発光部から、電子機器本体にカバー部が装着されていると判断するために用いられる所定の発光パターンで光を放射し、前記受光部によって受光した光が前記所定の発光パターンに対応していないと、前記電子機器本体に前記カバー部が装着されていないと判断することが好ましい。
【００１５】
前記制御部は、前記電子機器の電源をＯＮすると、前記発光部から、電子機器本体にカバー部が装着されていると判断するために用いられる所定の発光パターンで光を放射し、前記受光部によって受光した光が前記所定の発光パターンに対応していないと、前記電子機器本体に前記カバー部が装着されていないと判断することが好ましい。
【００１６】
前記通信部は、基地局と通信可能であることが好ましい。前記制御部は、基地局との通信において圏外状態になると、前記発光部から、電子機器本体にカバー部が装着されていると判断するために用いられる所定の発光パターンで光を放射し、前記受光部によって受光した光が前記所定の発光パターンに対応していないと、前記電子機器本体に前記カバー部が装着されていないと判断することが好ましい。
【発明の効果】
【００１７】
本発明によれば、カバー部が電子機器本体から外されていることを判断することが可能な電子機器を提供することができる。
【図面の簡単な説明】
【００１８】
【図１】実施形態に係るスマートフォンの外観を示す斜視図である。
【図２】実施形態に係るスマートフォンの外観を示す背面図である。
【図３】スマートフォン本体及びカバー部について説明するための図である。
【図４】スマートフォンの構成について説明するブロック図である。
【図５】スマートフォンの動作について説明するためのフローチャートである。
【発明を実施するための形態】
【００１９】
本発明を実施するための実施形態を、図面を参照しつつ詳細に説明する。以下では、電子機器の一例として、スマートフォンについて説明する。
【００２０】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２２】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００２３】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２４】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２５】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２６】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２７】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２８】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２９】
照度センサ４は、照度を検出する。例えば、照度とは、光の強さ、明るさ、輝度等である。照度センサ４は、例えば、ディスプレイ２Ａの輝度の調整に用いられる。
【００３０】
近接センサ５は、近隣の物体の存在を非接触で検出する。近接センサ５は、例えば、タッチスクリーンディスプレイ２が顔に近付けられたことを検出する。
【００３１】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３２】
カメラ１２は、フロントフェイス１Ａに面している物体を撮影するインカメラである。カメラ１３は、バックフェイス１Ｂに面している物体を撮影するアウトカメラである。
【００３３】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３４】
本実施例に係るスマートフォン１は、カバー部４０がスマートフォン本体３０から外されたことを判断可能である。以下に、具体的な構成について説明する。
【００３５】
図３は、スマートフォン本体３０及びカバー部４０について説明するための図である。
スマートフォン１は、電子機器本体としてのスマートフォン本体３０と、カバー部４０とを備える。
スマートフォン本体３０には、発光部３１と、受光部３２とが配される。発光部３１は、光を放射する。発光部３１は、例えば、赤外線の光を放射する。受光部３２は、光を受光する。受光部３２は、例えば、赤外線の光を受光する。発光部３１と受光部３２とは、例えば、赤外線通信に用いられる。発光部３１と受光部３２とは、近接して配置されることが好ましい。
【００３６】
カバー部４０は、スマートフォン本体３０の少なくとも一部を覆うように、そのスマートフォン本体３０に装着される。すなわち、カバー部４０は、スマートフォン１のバックフェイス１Ｂを構成する。例えば、カバー部４０は、バッテリリッドである。
【００３７】
カバー部４０は、光フィルタ部４１と、アンテナ部４２とを備える。
光フィルタ部４１は、カバー部４０における発光部３１及び受光部３２に対向する位置に配置される。光フィルタ部４１は、光を透過する。光フィルタ部４１は、発光部３１が発光する光の波長と、受光部３２が受光する光の波長とを含む波長帯の光を透過する。発光部３１と受光部３２とが赤外線通信に用いられる場合、光フィルタ部４１は、赤外線を透過する。光フィルタ部４１は、発光部３１から放射された光の一部を受光部３２に向けて反射させる。光フィルタ部４１は、発光部３１が発光する光の波長と、受光部３２が受光する光の波長とを含む波長帯の光を反射する。発光部３１と受光部３２とが赤外線通信に用いられる場合、光フィルタ部４１は、赤外線を反射する。一例として、光フィルタ部４１は、入射した光を１００％とすると、９５％の光を透過し、５％の光を反射する。光フィルタ部４１は、入射した光の９５％を透過するので、スマートフォン１は、透過した光を介して他のスマートフォンと通信することができる。
【００３８】
アンテナ部４２は、スマートフォン１が通信を行う場合に、その通信に利用される。アンテナ部４２は、後述する通信部３４から給電されることにより、電波を放射する。図３に示す場合、カバー部４０には１つのアンテナ部４２が配される。しかし、本発明は、この実施形態に限定されることはなく、カバー部４０に複数のアンテナが配されてもよい。
【００３９】
図４は、スマートフォン１の構成について説明するブロック図である。
スマートフォン本体３０は、通信部３４と、制御部３５と、を備える。
通信部３４は、カバー部４０がスマートフォン本体３０に装着される場合にアンテナ部４２と接続する。すなわち、通信部３４は、接点部３３（図３参照）を介してアンテナ部４２と接続する。
【００４０】
制御部３５は、発光部３１から光を放射させた場合に、受光部３２によって受光した光の強度が所定値未満であると、スマートフォン本体３０にカバー部４０が装着されていないと判断する。所定値は、光フィルタ部４１で反射された光を受光部３２で受光したときの強度よりも低い値であり、且つ、受光部３２で光を受光していないときの強度よりも高い値である。所定値は、適宜設定される。
【００４１】
制御部３５は、スマートフォン本体３０にカバー部４０が装着されていないと判断した場合に、通信部３４の動作を停止させる。カバー部４０がスマートフォン本体３０に装着されていない場合、通信部３４は、アンテナ部４２と接続していない。通信部３４とアンテナ部４２とが電気的に接続していない場合に通信部３４を動作させても、通信部３４は、通信を行うことができない。したがって、制御部３５は、カバー部４０がスマートフォン本体３０に装着されていない場合には、通信部３４を動作させない。
【００４２】
次に、スマートフォン１の動作について説明する。図５は、スマートフォン１の動作について説明するためのフローチャートである。
【００４３】
ステップＳＴ１において、制御部３５は、発光部３１から光を放射させる。発光部３１から光が放射された場合、放射された光の一部は、光フィルタ部４１によって反射されて、受光部３２によって受光される。また、光フィルタ部４１によって反射されなかった光は、光フィルタ部４１を透過して、スマートフォン１の外部に出射する。
【００４４】
ステップＳＴ２において、制御部３５は、受光部３２によって受光された光の強度が所定値未満であるか否かを判断する。光の強度が所定値未満の場合（ＹＥＳ）には、制御部３５は、スマートフォン本体３０にカバー部４０が装着されていないと判断して、処理をステップＳＴ３に進める。光の強度が所定値未満ではない場合（ＮＯ）には、制御部３５は、スマートフォン本体３０にカバー部４０が装着されていると判断して、処理を終了させる。
【００４５】
ステップＳＴ３において、制御部３５は、カバー部４０に配されるアンテナ部４２と通信部３４とが接続されていないため、通信部３４の動作を停止させる。制御部３５は、ステップＳＴ３の後、処理を終了させる。
【００４６】
このようなスマートフォン１によれば、次の効果が奏される。
すなわち、スマートフォン１は、発光部３１から光を放射させた場合に、受光部３２によって受光された光の強度が所定値未満であると、スマートフォン本体３０にカバー部４０が装着されていないと判断する。これにより、スマートフォン１は、カバー部４０がスマートフォン本体３０から外されていることを判断することができる。
【００４７】
スマートフォン１は、カバー部４０に無線通信用のアンテナ部４２を備える。アンテナ部４２がカバー部４０に配される場合に、カバー部４０がスマートフォン本体３０から外されると、スマートフォン１は、通信を行うことができない。スマートフォン１は、カバー部４０がスマートフォン本体３０に装着されているか否かを判断することにより、通信を行える状態か通信を行えない状態かを判断することができる。
【００４８】
スマートフォン１は、スマートフォン本体３０にカバー部４０が装着されていないと判断した場合に、通信部３４の動作を停止させる。カバー部４０がスマートフォン本体３０に装着されていない場合には、アンテナ部４２と通信部３４とは接続されていない。このため、通信部３４は、通信を行うことができない。この場合、スマートフォン１は、通信部３４による送受信を停止させるため、アンテナ部４２が接続されていない状態で通信部３４が動作することを回避することができる。
【００４９】
また、スマートフォン１は、発光部３１から赤外線の光を放射させ、受光部３２によって赤外線の光を受光させる。これにより、スマートフォン１は、赤外線通信に利用される部品をカバー部４０の装着検出に利用することができるので、カバー部４０の検出のために新たな部品を搭載する場合に比べて、低コスト化を実現することができる。
【００５０】
なお、スマートフォン１（制御部）は、発光部３１から光を放射させた場合に、受光部３２によって受光した光の強度が所定値未満であると、スマートフォン本体３０にカバー部４０が装着されていないと判断するが、本発明はこれに限定されず、スマートフォン１（制御部）は、スマートフォン本体にカバー部が装着されていると判断するために用いられる所定の発光パターンにより光を放射させた場合に、受光部によって受光した光が前記所定の発光パターンに対応していないと、スマートフォン本体にカバー部が装着されていないと判断してもよい。なお、スマートフォン１（制御部）は、スマートフォン本体にカバー部が装着されていると判断するために用いられる所定の発光パターンにより光を放射させた場合に、受光部によって受光した光が前記所定の発光パターンに対応していると、スマートフォン本体にカバー部が装着されていると判断してもよい。
【００５１】
なお、制御部は、通信部を利用するアプリケーションが起動されると、発光部から光を放射し、受光部によって受光した光の強度が所定値未満であると、スマートフォン本体にカバー部が装着されていないと判断してもよい。また、制御部は、通信部を利用するアプリケーションが起動されると、発光部から、スマートフォン本体にカバー部が装着されていると判断するために用いられる所定の発光パターンで光を放射し、受光部によって受光した光が前記所定の発光パターンに対応していないと、スマートフォン本体にカバー部が装着されていないと判断してもよい。ここで通信部を利用するアプリケーションとは、ブラウザ、メーラー、電話アプリなどである。
【００５２】
なお、制御部は、スマートフォンの電源をＯＮすると、発光部から光を放射し、受光部によって受光した光の強度が所定値未満であると、スマートフォン本体にカバー部が装着されていないと判断してもよい。また、制御部は、スマートフォンの電源をＯＮすると、発光部から、スマートフォン本体にカバー部が装着されていると判断するために用いられる所定の発光パターンで光を放射し、受光部によって受光した光が前記所定の発光パターンに対応していないと、電子機器本体にカバー部が装着されていないと判断してもよい。
【００５３】
なお、通信部は、基地局と通信可能であってもよい。そして、制御部は、基地局との通信において圏外状態になると、発光部から光を放射し、受光部によって受光した光の強度が所定値未満であると、スマートフォン本体にカバー部が装着されていないと判断してもよい。また、制御部は、基地局との通信において圏外状態になると、発光部から、スマートフォン本体にカバー部が装着されていると判断するために用いられる所定の発光パターンで光を放射し、受光部によって受光した光が前記所定の発光パターンに対応していないと、スマートフォン本体にカバー部が装着されていないと判断してもよい。
【００５４】
なお、スマートフォン１は、制御部が、スマートフォン本体にカバー部が装着されていないと判断すると、所定の報知を行ってもよい。ここで、スマートフォン１は、所定の報知として、所定の発光パターンにより発光素子を発光させてもよいし、所定の振動パターンにより振動素子を振動させてもよいし、スマートフォン本体にカバー部が装着されていない旨をタッチスクリーンディスプレイに表示させてもよい。
【００５５】
なお、光フィルタ部４１は、発光部３１が発光する光の波長と、受光部３２が受光する光の波長とを含む波長帯の光を透過するが、光フィルタ部４１は、発光部３１が発光する光の波長と、受光部３２が受光する光の波長とを含む波長帯の光を透過し、当該波長帯の光以外の波長帯の光は透過しない、または、当該波長帯の光以外の波長帯の光が透過する割合を、当該波長帯の光より低くするものであってもよい。
【００５６】
なお、スマートフォン１は、発光部から放射され光フィルタ部を透過する光を介して他の電子機器と通信するモードと、発光部から放射された光によりスマートフォン本体にカバー部が装着されているか否か判断するモードの二つのモードを有していてもよい。そして、一方のモードで放射された光は、他方のモードでは検出されない、または無効であるものとすることにより、誤動作しないようにすることができる。
【００５７】
なお、スマートフォン１は、発光部から放射され光フィルタ部を透過する光を介して他の電子機器と通信している際に、発光部から放射される光を受光部が受光し、その受光した光の強度が所定値未満であると、スマートフォン本体にカバー部が装着されていないと判断し、その受光した光の強度が所定値以上であると、スマートフォン本体にカバー部が装着されていると判断してもよい。このような構成にすることにより、スマートフォンは、発光部から放射され光フィルタ部を透過する光を介して他の電子機器と通信している際に、スマート本体にカバー部が装着されているか否か判断することができる。
【符号の説明】
【００５８】
１  スマートフォン（電子機器）
３０  スマートフォン本体（電子機器本体）
３１  発光部
３２  受光部
３４  通信部
３５  制御部
４０  カバー部
４１  光フィルタ部
４２  アンテナ部
【図１】
2014093537.tif 000003
【図２】
2014093537.tif 000004
【図３】
2014093537.tif 000005
【図４】
2014093537.tif 000006
【図５】
2014093537.tif 000007